(57)【特許請求の範囲】
【請求項１】
有底筒状のサクションボックスをこのサクションボックスの一端の吸い込み口が浴槽内を向くように浴槽に装着し、ジェットバスのポンプ側に接続する接続口をサクションボックスの外周から一体に連出し、サクションボックス内に外面がサクションボックスの内面に沿うシリンダを回転自在に内装し、サクションボックス内と接続口とを連通させる連通開口に対応する穴部をシリンダに設け、シリンダの回転により穴部と連通開口とを合致させてシリンダ内と接続口とを連通させたり、穴部と連通開口をずらせてシリンダにて連通開口を閉塞したりする切り換えを行えるようにし、サクションボックスの吸い込み口を覆うようにサクションカバーを配置すると共にサクションカバーの円筒状の取り付け筒をシリンダ内に挿通してサクションカバーを回転自在に支持し、取り付け筒の外周に設けた係合突起とシリンダの内面に設けた係合溝とを係合突起が抜き差し自在になるように係合し、サクションボックスの一端の吸い込み口部分にシリンダの抜け止めをする円環状のシリンダ押さえを装着し、シリンダ押さえの内周に上記係合突起と合致したときのみ係合突起を挿通し得る挿通切欠を設け、シリンダで連通開口を閉塞した状態で上記係合溝と挿通切欠が合致する位置関係にしたことを特徴とするジェットバスのサクション部の構造。
【請求項２】
係合突起と係合溝とを夫々周方向に１８０°ずれた位置で一対設けると共に一対の係合突起の断面形状を異なった形状とし、一対の異なった形状の係合突起に対応する形状で夫々別々に係合突起を挿通し得る挿通切欠をシリンダ押さえの内周に形成したことを特徴とする請求項１記載のジェットバスのサクション部の構造。
【請求項３】
シリンダの外周に凹凸を設けてシリンダの外周面とサクションボックスの内周面の接触面積を減らしたことを特徴とする請求項１または請求項２記載のジェットバスのサクション部の構造。
【請求項４】
サクションカバーの回転操作にてシリンダを回転させて連通開口を開閉するとき、連通開口の全開位置と連通開口の全閉位置でクリック感を与える当りをシリンダとサクションボックスとの間に設けたことを特徴とする請求項１乃至請求項３のいずれかに記載のジェットバスのサクション部の構造。
【発明の詳細な説明】
【０００１】
【発明の属する技術分野】
本発明は、ジェットバス（気泡発生浴槽）において、浴槽の浴用水を吸い込むサクション部の構造に関するものである。
【０００２】
【従来の技術】
従来のジェットバスのサクション部は、浴槽の側壁にサクションボックスをサクションボックスの一端の吸い込み口が浴槽内に臨むように取り付け、このサクションボックスにジェットバスのポンプを連通させ、サクションボックスの吸い込み口にこの吸い込み口を覆うサクションカバーを取り付けてある。このサクションカバーはジェットバスの使用中に吸い込み口から入浴者の毛髪が吸い込まれたり、タオルが吸い込まれたりするのを防止するために取り付けられるのであるが、点検や清掃を行うためにサクションカバーを着脱自在に取り付けてある。
【０００３】
【発明が解決しようとする課題】
ところが、サクションカバーを付け忘れた状態でジェットバスを運転してしまうと、吸い込み口から直接吸い込まれてしまうという危険性がある。この問題をなくすためにサクションカバーが取り付けられているか否かを磁気的に検知し、サクションカバーが取り付けられていないと検知したときジェットバスを運転しないように制御したものもあるが、この場合、電気的な制御をする必要があり、誤動作をするおそれがあると共に制御が複雑になるという問題がある。
【０００４】
本発明は上記の点に鑑みてなされたものであり、サクションカバーを取り付けた状態でしか吸い込むことができない構造を機械的に簡単に実現できるジェットバスのサクション部の構造を提供することを課題とするものである。
【０００５】
【課題を解決するための手段】
上記課題を解決するため本発明のジェットバスのサクション部の構造は、有底筒状のサクションボックス１をこのサクションボックス１の一端の吸い込み口２が浴槽３内を向くように浴槽３に装着し、ジェットバスのポンプ側に接続する接続口４をサクションボックス１の外周から一体に連出し、サクションボックス１内に外面がサクションボックス１の内面に沿うシリンダ５を回転自在に内装し、サクションボックス１内と接続口４とを連通させる連通開口６に対応する穴部７をシリンダ５に設け、シリンダ５の回転により穴部７と連通開口６とを合致させてシリンダ５内と接続口４とを連通させたり、穴部７と連通開口６をずらせてシリンダ５にて連通開口６を閉塞したりする切り換えを行えるようにし、サクションボックス１の吸い込み口２を覆うようにサクションカバー８を配置すると共にサクションカバー８の円筒状の取り付け筒９をシリンダ５内に挿通してサクションカバー８を回転自在に支持し、取り付け筒９の外周に設けた係合突起１０とシリンダ５の内面に設けた係合溝１１とを係合突起１０が抜き差し自在になるように係合し、サクションボックス１の一端の吸い込み口２部分にシリンダ５の抜け止めをする円環状のシリンダ押さえ１２を装着し、シリンダ押さえ１２の内周に上記係合突起１０と合致したときのみ係合突起１０を挿通し得る挿通切欠１３を設け、シリンダ５で連通開口６を閉塞した状態で上記係合溝１１と挿通切欠１３が合致する位置関係にしたことを特徴とする。サクションカバー８を装着した状態ではサクションカバー８を回転させると、係合突起１０と係合溝１１との係合にてサクションカバー８とシリンダ５が一緒に回転して連通開口６が開閉され、連通開口６を開いた状態でポンプを駆動することでサクションカバー８を介して吸い込み口２から浴用水が吸い込まれる。このとき、連通開口６を開いた状態では係止突起１０と挿通切欠１３の位置がずれているためにサクションカバー８を引っ張っても外れることがない。サクションカバー８を取り外す場合、サクションカバー８と一緒にシリンダ５を回転して連通開口６を閉塞した状態にして係合突起１０とシリンダ押さえ１２の挿通切欠１３を対応させ、サクションカバー８を引っ張って取り外す。このようにサクションカバー８を取り外した状態では、シリンダ５で連通開口６が閉塞されており、ポンプを駆動しても吸い込み口２から吸い込まれる弊害を生じない。サクションカバー８を取り付ける場合、上記と逆にサクションカバー８を取り付けるが、サクションカバー８を所定の状態に取り付けなければシリンダ５を回転して連通開口６を開くことができないためにサクションカバー８を所定の状態に取り付けなければポンプを駆動しても吸い込み口２から吸い込まれることがない。従って、サクションカバー８を外した状態で吸い込み口２から吸い込まれる運転がされないために毛髪の吸い込みを防止して安全性を確保でき、また電気的制御に頼らず機械的に安全を確保することができ、さらにシリンダ５で連通開口６を閉塞した状態以外の途中ではサクションカバー８が外れないので安全性を確保できる。
【０００６】
また係合突起１０と係合溝１１とを夫々周方向に１８０°ずれた位置で一対設けると共に一対の係合突起１０の断面形状を異なった形状とし、一対の異なった形状の係合突起１０に対応する形状で夫々別々に係合突起１０を挿通し得る挿通切欠１３をシリンダ押さえ１２の内周に形成したことを特徴とすることも好ましい。１８０°ずれた位置に位置する係合突起１０と係合溝１１とが係合してサクションカバー８とシリンダ５とが連結されるためにサクションカバー８を安定良く取り付けることができる。またサクションカバー８を取り付けるとき１８０°位置がずれて取り付けられるおそれがない。
【０００７】
またシリンダ５の外周に凹凸１５を設けてシリンダ５の外周面とサクションボックス１の内周面の接触面積を減らしたことを特徴とすることも好ましい。シリンダ５の外周面のサクションボックス１の内周面への固着を防止してシリンダ５の回転操作を円滑にできる。
【０００８】
またサクションカバー８の回転操作にてシリンダ５を回転させて連通開口６を開閉するとき、連通開口６の全開位置と連通開口６の全閉位置でクリック感を与える当りをシリンダ５とサクションボックス１との間に設けたことを特徴とすることも好ましい。シリンダ５を全開位置に回転したときと全閉位置に回転したときクリック感があって、全開位置及び全閉位置を認識できる。
【０００９】
【発明の実施の形態】
サクション部の本体となるサクションボックス１は図１、図２に示すようにおり、一端の開口である吸い込み口２を浴槽３内に向けて浴槽３の側壁３ａに横向きに取り付けられるようになっている。サクションボックス１の一端の手前の外周には鍔部１７を全周に亙って突設してあり、浴槽３の側壁３ａに貫通するように穿孔した取り付け穴１８にサクションボックス１の一端側を挿通してあり、サクションボックス１の一端側の外周に設けた雌ねじ部１９に締め付けナット２０を螺合してあり、締め付けナット２０を締め付けることにより締め付けナット２０と鍔部１７との間に側壁３ａを挟持してサクションボックス１を浴槽３に取り付けてある。このときサクションボックス１の外周で鍔部１７と締め付けナット２０との間に断面Ｕ字状のシールパッキン２１を全周に亙って介装して浴槽３の側壁３ａに対して水密的に取り付けてある。サクションボックス１の他端側の外周にはサクションボックス１に対して直交するように一体に接続口４を一体に設けてあり、接続口４がジェットバスのポンプと連通させられるようになっている。接続口４内とサクションボックス１内とは連通開口６を介して連通している。
【００１０】
このサクションボックス１内には図６に示すようなシリンダ５を回転自在に内装してあり、シリンダ５には上記連通開口６に対応する穴部７を開口させてあり、シリンダ５を回転させることにより連通開口６と穴部７を合致させて連通開口６を開いたり、連通開口６に対して穴部７をずらせて連通開口６を閉じたりできるようになっている。このシリンダ５の外径はサクションボックス１の内径よりやや小さい径になっている。図５に示すようにサクションボックス１の他端である底壁の内面の外周には回転規制突起２２を設けてあり、シリンダ５の底壁の外面の外周には回転規制凹部２３を円弧状に設けてあり、回転規制突起２２が回転規制凹部２３に摺動自在に嵌合してあり、回転規制突起２２に対して回転規制凹部２３が摺動する範囲の角度だけシリンダ５が回転するようになっている。回転規制突起２２の両側にはクリック用の当りとなるクリック突起２４を設けてあり、回転規制凹部２３の周方向の両側方にはクリック用の当りとなるクリック凹部２５を設けてある。シリンダ５を一方方向に回転して連通開口６と穴部７とが最大量合致する全開位置に位置させたとき一方のクリック突起２４と一方のクリック凹部２５とが嵌合してクリック感が得られるようになっており、またシリンダ５を他方方向に回転して連通開口６を完全に塞ぐ全閉位置に位置させたとき他方のクリック突起２４と他方のクリック凹部２５とが嵌合してクリック感が得られるようになっている。シリンダ５の内周面にはシリンダ５の一端の開口から所定位置まで係合溝１１を穿設してある。本例の場合、一対の係合溝１１を１８０°ずれた位置に穿設してある。また本例の係合溝１１は後述する２種類の係合突起１０を係合し得る形状にしてある。
【００１１】
サクションホックス１の吸い込み口２側にはシリンダ５が抜けないように押さえるため円環状のシリンダ押さえ１２を配置してあり、シリンダ押さえ１２の外周をサククションボックス１の内面の段部２７に係止させて位置決めしてある。またシリンダ押さえ１２には周方向の複数箇所に位置決め突起２８を突設してあり、段部２７に設けた位置決め凹部２９に位置決め突起２８を係止することでシリンダ押さえ１２が周方向に回転しないように位置決めしてある。サクションボックス１の吸い込み口２の内周には雌ねじ３０を設けてあり、円環状の押さえナット３１を雌ねじ３０に螺合してあり、この押さえナット３１でシリンダ押さえ１２を押さえてシリンダ押さえ１２を固定してある。本例の場合、２つの押さえナット３１を螺合してあり、ダブルナット構造で緩まないようにしてある。
【００１２】
サクションボックス１の吸い込み口２を覆うサクションカバー８は図７に示すようにシャーレ状に形成されており、全面に通水穴３２を穿孔してある。かかるサクションカバー８には必要に応じて全面に亙るように網３５を装着してあってもよい。サクションボックス１内の中央に円筒状の取り付け筒９を一体に突設してあり、取り付け筒９の外径は押さえナット３１やシリンダ押さえ１２やシリンダ５の内径よりやや小さい径にしてあり、押さえナット３１やシリンダ押さえ１２やシリンダ５内に挿通してサクションカバー８が取り付けられるようになっている。サクションカバー８を取り付けたときにシリンダ５内に挿通される部分にはシリンダ５の係合溝１１に挿通して係合し得る係合突起１０を設けてある。この係合突起１０は１８０°ずれた位置で一対設けてある。この一対の係合突起１０は断面形状が異なるものであり、一方の係合突起１０ａは肉厚が厚く幅が狭いものとなっており、他方の係合突起１０ｂは肉厚が薄く幅が広いものなっている。係合溝１１は係合突起１０ａ，１０ｂのいずれでも係合できるようになっている。
【００１３】
シリンダ押さえ３１の内径は取り付け筒５の係合突起１０がある部分の外径より小さい径になっているが、シリンダ押さえ１２の内周には係合突起１０が挿通し得る挿通切欠１３を設けてある。この挿通切欠１３は１８０°ずれた位置で一対設けてある。この一対の挿通切欠１３のうち一方の挿通切欠１３ａは係合突起１０ａだけが挿通し得る形状であり、他方の挿通切欠１３ｂは係合突起１０ｂだけが挿通し得る形状である。この一対の挿通切欠１３ａ，１３ｂはシリンダ５を全閉位置に回転した位置で係合溝１１に対応する位置に設けてある。そしてサクションカバー８を取り付ける場合、シリンダ５の全閉位置で挿通切欠１３ａ，１３ｂを係合溝１１に対応させた状態で取り付け筒９が押さえナット３１、シリンダ押さえ１２を介してシリンダ５内に挿通される。このとき挿通切欠１３ａと係合突起１０ａとを対応させると共に挿通切欠１３ｂと係合突起１０ｂとを対応させて係合突起１０ａ，１０ｂがシリンダ押さえ１２を越えるように挿通し、係合突起１０ａ，１０ｂを係合溝１１に係合させる。この状態でサクションカバー８を回転操作してサクションカバー８と一緒にシリンダ５を開方向に回転してシリンダ５が全開位置になるまで回転する。サクションカバー８をシリンダ５と一緒に開方向に回転すると係合突起１０ａ，１０ｂの位置と挿通切欠１３ａ，１３ｂの位置がずれ、サクションカバー８を引っ張る方向に力を加えても係止突起１０ａ，１０ｂとシリンダ押さえ１２の内周とが係止してサクションカバー８が外れるようなことがなくなる。
【００１４】
シリンダ５の穴部７と連通開口６とが対応する全開位置になるようにサクションカバー８を回転させた状態でジェットバスのポンプを駆動して浴用水の循環をさせると、サクションカバー８を介して吸い込み口２から浴用水が吸い込まれる。サクションカバー８を回転操作することでシリンダ５を一緒に回転して連通開口６を開閉できるが、シリンダ５を全開位置に回転したときやシリンダ５を全閉位置に回転したときクリック突起２４とクリック凹部２５とが嵌合してクリック感にて全開位置と全閉位置とを確認できる。
【００１５】
サクションカバー８を取り外す場合は、サクションカバー８を回転操作してシリンダ５を全閉位置に位置させる。このとき、係止溝１１と挿通切欠１３ａ，１３ｂの位置とが対応すると共に挿通切欠１３ａと係合突起１０ａ及び挿通切欠１３ｂと係合突起１０ｂとが対応し、挿通切欠１３ａ，１３ｂに係合突起１０ａ，１０ｂを挿通できる状態となり、サクションカバー８を引っ張ることでサクションカバー８を抜いてサクションカバー８を取り外すことができる。またサクションカバー８を取り付ける場合は、挿通切欠１３ａ，１３ｂと係合突起１０ａ，１０ｂとを対応させて係合突起１０ａ，１０ｂを挿通し、係合突起１０ａ，１０ｂと係合溝１１とを係合し、サクションカバー８と一緒にシリンダ５を開方向に回転して係合突起１０ａ，１０ｂをシリンダ押さえ１２に係止させてサクションカバー８が抜けないように取り付ける。サクションカバー８を取り外した状態では、シリンダ５が閉塞されており、サクションカバー８を付け忘れた状態でポンプを駆動しても吸い込み口２から吸い込まれる弊害を生じない。またシリンダ５の全閉状態でポンプを駆動したとき、ポンプの負圧にてシリンダ５が引かれてシリンダ５が連通開口６をさらに締め切る。従って、サクションカバー８を外した状態で吸い込み口２から吸い込まれる運転がされないために毛髪の吸い込みを防止して安全性を確保でき、また電気的制御に頼らず機械的に安全を確保することができ、さらにシリンダ５で連通開口６を閉塞した状態以外の途中ではサクションカバー８が外れないので安全性を確保できる。また係合突起１０ａ，１０ｂと係合溝１１とを周方向に１８０°ずれた位置で一対設けると共に一対の係合突起１０ａ，１０ｂの断面形状を異なった形状とし、一対の異なった形状の係合突起１０ａ，１０ｂに対応する形状で夫々別々に係合突起１０ａ，１０ｂを挿通し得る挿通切欠１３ａ，１３ｂをシリンダ押さえ１２の内周に形成したことにより、１８０°ずれた位置に位置する係合突起１０ａ，１０ｂと係合溝１１とが係合してサクションカバー８とシリンダ５とが連結されるためにサクションカバー８を安定良く取り付けることができると共にサクションカバー８を無理に抜こうとする力を加えても１８０°ずれた係合突起１０ａ，１０ｂがシリンダ押さえ１２に係止してがたつき及びがたつきからの故障を減少させることができる。またサクションカバー８を取り付けるとき１８０°位置がずれて取り付けられるおそれがない。
【００１６】
また図８は他の例である。本例の場合、シリンダ５の一端側の外周面に複数の凹条１５ａと凸条１５ｂを設けて外周に凹凸１５を形成してあり、この凹凸１５によりシリンダ５の外周面とサクションボックス１の内周面との接触面積を減らしてある。このようにしてあると、シリンダ５の外周面のサクションボックス１の内周面への固着を防止してシリンダ５の回転操作を円滑にできる。
【００１７】
【発明の効果】
本発明の請求項１の発明は、有底筒状のサクションボックスをこのサクションボックスの一端の吸い込み口が浴槽内を向くように浴槽に装着し、ジェットバスのポンプ側に接続する接続口をサクションボックスの外周から一体に連出し、サクションボックス内に外面がサクションボックスの内面に沿うシリンダを回転自在に内装し、サクションボックス内と接続口とを連通させる連通開口に対応する穴部をシリンダに設け、シリンダの回転により穴部と連通開口とを合致させてシリンダ内と接続口とを連通させたり、穴部を連通開口とずらせてシリンダにて連通開口を閉塞したりする切り換えを行えるようにし、サクションボックスの吸い込み口を覆うようにサクションカバーを配置すると共にサクションカバーの円筒状の取り付け筒をシリンダ内に挿通してサクションカバーを回転自在に支持し、取り付け筒の外周に設けた係合突起とシリンダの内面に設けた係合溝とを係合突起が抜き差し自在になるように係合し、サクションボックスの一端の吸い込み口部分にシリンダの抜け止めをする円環状のシリンダ押さえを装着し、シリンダ押さえの内周に上記係合突起と合致したときのみ係合突起を挿通し得る挿通切欠を設け、シリンダで連通開口を閉塞した状態で上記係合溝と挿通切欠が合致する位置関係にしたので、サクションカバーを装着した状態ではサクションカバーを回転させると、係合突起と係合溝との係合にてサクションカバーとシリンダが一緒に回転して連通開口が開閉され、連通開口を開いた状態でポンプを駆動することでサクションカバーを介して吸い込み口から浴用水が吸い込まれるものであり、このとき、連通開口を開いた状態では係止突起と挿通切欠の位置がずれているためにサクションカバーを引っ張っても外れることがないものであり、またサクションカバーを取り外す場合、サクションカバーと一緒にシリンダを回転して連通開口を閉塞した状態にして係合突起とシリンダ押さえの挿通切欠を対応させ、サクションカバーを引っ張って取り外すことができるものであって、サクションカバーを取り外した状態では、シリンダで連通開口が閉塞されており、ポンプを駆動しても吸い込み口から吸い込まれる弊害を生じないものである。従って、サクションカバーを外した状態で吸い込み口から吸い込まれる運転がされないために毛髪の吸い込みを防止して安全性を確保でき、また電気的制御に頼らず機械的に安全を確保することができ、さらにシリンダで連通開口を閉塞した状態以外の途中ではサクションカバーが外れないので安全性を確保できる。
【００１８】
また本発明の請求項２の発明は、請求項１において、係合突起と係合溝とを夫々周方向に１８０°ずれた位置で一対設けると共に一対の係合突起の断面形状を異なった形状とし、一対の異なった形状の係合突起に対応する形状で夫々別々に係合突起を挿通し得る挿通切欠をシリンダ押さえの内周に形成したので、１８０°ずれた位置に位置する係合突起と係合溝とが係合してサクションカバーとシリンダとが連結されるためにサクションカバーを安定良く取り付けることができるものであり、またサクションカバーを取り付けるとき１８０°位置がずれて取り付けられるおそれがないものである。
【００１９】
また本発明の請求項３の発明は、請求項１または請求項２において、シリンダの外周に凹凸を設けてシリンダの外周面とサクションボックスの内周面の接触面積を減らしたので、シリンダの外周面のサクションボックスの内周面への固着を防止してシリンダの回転操作を円滑にできるものである。
【００２０】
また本発明の請求項４の発明は、請求項１乃至請求項３のいずれかにおいて、サクションカバーの回転操作にてシリンダを回転させて連通開口を開閉するとき、連通開口の全開位置と連通開口の全閉位置でクリック感を与える当りをシリンダとサクションボックスとの間に設けたので、シリンダを全開位置に回転したときと全閉位置に回転したときクリック感があって、全開位置及び全閉位置を認識できるものである。
【図面の簡単な説明】
【図１】本発明の実施の形態の一例で全開状態の半断面図である。
【図２】同上の全閉状態の半断面図である。
【図３】同上のサクションカバーと浴槽を省略した側面図である。
【図４】同上の全体の分解斜視図である。
【図５】同上の要部の一部切欠斜視図である。
【図６】同上のシリンダを示し、（ａ）は平面図、（ｂ）は正面図、（ｃ）は側面図、（ｄ）は底面図である。
【図７】同上のサクションカバーを示し、（ａ）は正面図、（ｂ）は底面図である。
【図８】同上の他の例のシリンダを示し、（ａ）は正面図、（ｂ）は側面図である。
【符号の説明】
１  サクションボックス
２  吸い込み口
３  浴槽
４  接続口
５  シリンダ
６  連通開口
７  穴部
８  サクションカバー
９  取り付け筒
１０  係合突起
１１  係合溝
１２  シリンダ押さえ
１３  挿通切欠
１５  凹凸
【図１】
0003731528.tif 000002
【図２】
0003731528.tif 000003
【図３】
0003731528.tif 000004
【図４】
0003731528.tif 000005
【図５】
0003731528.tif 000006
【図６】
0003731528.tif 000007
【図７】
0003731528.tif 000008
【図８】
0003731528.tif 000009